(57)【要約】【課題】従来の土砂移送用のベルトコンベア装置は、不要なベルトコンベアの部分が坑口側に設置されたままとなるので無駄であり、コストが高くなる。【解決手段】レール材３０をトンネル孔内に吊り下げて吊りレールを形成し、この吊りレールを介して移動可能な複数のベルトコンベア吊り下げ部材５でベルトコンベア装置１を吊り下げ、この各ベルトコンベア吊り下げ部材５を牽引用連結部材６０で連結し、牽引手段で掘削先端部位側のベルトコンベア吊り下げ部材５を掘削進行方向に牽引して複数のベルトコンベア吊り下げ部材５で吊り下げられたベルトコンベア装置１を掘削進行方向側に移動させる。【選択図】        図６
2004176269.tif 000002
【特許請求の範囲】
【請求項１】
トンネル施工において掘削した土砂を坑口側に移送するために掘削先端部位側から坑口方向に延長するように設けられる土砂移送長が所定長さのベルトコンベア装置を掘削進行方向側に移動させる方法であって、
レール材をトンネル孔内に吊り下げて吊りレールを形成し、この吊りレールを介して移動可能な複数のベルトコンベア吊り下げ部材でベルトコンベア装置を吊り下げるようにするとともに、この各ベルトコンベア吊り下げ部材を牽引用連結部材で連結するようにし、牽引手段で掘削先端部位側のベルトコンベア吊り下げ部材を掘削進行方向に牽引して複数のベルトコンベア吊り下げ部材で吊り下げられたベルトコンベア装置を掘削進行方向側に移動させることを特徴とする掘削土砂移送用のベルトコンベア装置の移動方法。
【請求項２】
トンネル施工において掘削した土砂を坑口側に移送するために掘削先端部位側から坑口方向に延長するように設けられる土砂移送長が所定長さのベルトコンベア装置を掘削進行方向側に移動させる方法であって、
複数の単位レール材をトンネル孔内に吊り下げてこれら単位レール材を連結することにより掘削先端部位側から坑口側に延長する吊りレールを形成し、この吊りレールを介して移動可能な移動体を上部に備える複数のベルトコンベア吊り下げ部材でベルトコンベア装置を吊り下げるようにするとともに、この各ベルトコンベア吊り下げ部材の上部側を牽引用連結部材で連結するようにし、掘削先端部位側の掘削が進行した後に坑口側の単位レールを任意の数だけ取外して吊りレールの掘削先端部位側に継ぎ足すように連結して移動作業用吊りレールを形成し、牽引手段で掘削先端部位側のベルトコンベア吊り下げ部材を掘削進行方向に牽引してこのベルトコンベア吊り下げ部材及び後続のベルトコンベア吊り下げ部材の移動体を移動作業用吊りレールを介して掘削進行方向に移動させることで、複数のベルトコンベア吊り下げ部材で吊り下げられたベルトコンベア装置を掘削進行方向側に移動させることを特徴とする掘削土砂移送用のベルトコンベア装置の移動方法。
【請求項３】
請求項１又は請求項２の移動方法に使用する掘削土砂移送装置であって、土砂を坑口側に移送するために掘削先端部位側から坑口方向に延長するように設けられる土砂移送長が所定長さのベルトコンベア装置と、掘削先端部位側から坑口側に延長するように複数の単位レール材が連結されてトンネル孔内に吊り下げられて成る吊りレールと、この吊りレールを介して移動可能な移動体を上部に備えるとともにこの吊りレールにベルトコンベア装置を吊り下げるための複数のベルトコンベア吊り下げ部材と、この複数のベルトコンベア吊り下げ部材の上部側を連結する牽引用連結部材と、掘削先端部位側の掘削が進行した後に坑口側より取外した任意の数の単位レールを吊りレールの掘削先端部位側に継ぎ足すように連結して成る移動作業用吊りレールと、掘削先端部位側のベルトコンベア吊り下げ部材を掘削進行方向に牽引することにより、このベルトコンベア吊り下げ部材及び後続のベルトコンベア吊り下げ部材の移動体を移動作業用吊りレールを介して掘削進行方向に移動させ、かつ複数のベルトコンベア吊り下げ部材で吊り下げられたベルトコンベア装置を掘削進行方向側に移動させる牽引手段とを備えたことを特徴とする掘削土砂移送装置。
【請求項４】
単位レール材をトンネル孔内に吊り下げるレール吊り下げ部材を備え、これらレール吊り下げ部材は、吊り下げ長さを調整するための長さ調整手段を備えることを特徴とする請求項３に記載の掘削土砂移送装置。
【請求項５】
単位レール材は、垂直板とこの垂直板の上下に設けられた上下水平板とを備えた断面Ｉ字状の長尺棒材で構成され、レール吊り下げ部材は、トンネル孔内上面より吊られて下端側に設けられた係止部材で上水平板の下面を係止することにより単位レール材を吊り下げた状態に支持し、ベルトコンベア吊り下げ部材は、上部に、垂直板を挟むように配置されて下水平板の上面を移動可能でかつベルトコンベア装置の重量を下水平板の上面で受けさせる係止部材として機能する移動体としての回転可能な車輪を備えたことを特徴とする請求項４に記載の掘削土砂移送装置。
【請求項６】
牽引手段は、移動作業用吊りレールを反力受けとして利用する牽引装置であることを特徴とする請求項３ないし請求項５のいずれかに記載の掘削土砂移送装置。
【請求項７】
ベルトコンベア装置は坑口側に位置する末端側にベルトコンベア駆動制御装置を備え、このベルトコンベア駆動制御装置は、トンネル孔内に設置される土砂積み込み機の制御装置と通信線又は無線により接続され、ベルトコンベア駆動制御装置を介してコンベア停止を指示したときに、ベルトコンベア駆動制御装置は、土砂積み込み機の制御装置に停止信号を送って土砂積み込み機を停止させ、また、土砂積み込み機の制御装置に表示制御信号を送って、土砂積み込み機に設けられたランプ等の表示手段に積み込み中止を示す表示を行なわせるとともに、ベルトコンベア駆動制御装置を介してコンベア起動を指示したときに、ベルトコンベア駆動制御装置は、土砂積み込み機の制御装置に起動信号を送って土砂積み込み機を起動させ、また、土砂積み込み機の制御装置に表示制御信号を送って、土砂積み込み機に設けられたランプ等の表示手段に積み込み許可を示す表示を行なわせることを特徴とする請求項３ないし請求項６のいずれかに記載の掘削土砂移送装置。
【発明の詳細な説明】
【０００１】
【発明の属する技術分野】
本発明は、トンネル施工において掘削した土砂を坑口側に移送するためのベルトコンベア装置を掘削進行側に移動させる方法及びこの方法に使用する掘削土砂移送装置に関する。
【０００２】
【従来の技術】
トンネル施工においては、掘削された土砂をベルトコンベア装置を用いて坑口側に移送する場合、ベルトコンベア装置として、掘削先端部位側の掘削作業が進むにつれてベルトコンベアの土砂移送長さを伸ばすことができる特殊な構造のベルトコンベア装置を使用することが知られている。
【０００３】
【発明が解決しようとする課題】
トンネル施工においては、掘削先端部位側の掘削作業が進むにつれてその分坑口側の施工も進める。即ち、掘削先端部位側の掘削作業とともに坑口側もコンクリートが打設されていくのでダンプトラックなどの土砂運搬車も掘削進行方向側に進めるようになる。しかし、従来のベルトコンベア装置は、掘削先端部位側の掘削作業が進むにつれて掘削先端部位側のベルトコンベアの長さを伸ばすだけで、坑口側の位置はそのまま動かない。従って、掘削先端部位側の掘削作業が進むにつれてトラックなどの土砂運搬車も掘削進行方向側に進めるようになって、その分、坑口側のベルトコンベアの部分が不要になるにも拘わらず、従来のベルトコンベア装置では不要なベルトコンベアの部分が坑口側に設置されたままとなるので無駄であった。このため、ベルトコンベア装置のコストが高くなるという課題があった。また、上記従来のベルトコンベア装置は、掘削先端部位側のベルトコンベアの長さを伸ばして設定する作業も大変であるという課題があった。
【０００４】
【課題を解決するための手段】
本発明の掘削土砂移送用のベルトコンベア装置の移動方法は、トンネル施工において掘削した土砂を坑口側に移送するために掘削先端部位側から坑口方向に延長するように設けられる土砂移送長が所定長さのベルトコンベア装置を掘削進行方向側に移動させる方法であって、レール材をトンネル孔内に吊り下げて吊りレールを形成し、この吊りレールを介して移動可能な複数のベルトコンベア吊り下げ部材でベルトコンベア装置を吊り下げるようにするとともに、この各ベルトコンベア吊り下げ部材を牽引用連結部材で連結するようにし、牽引手段で掘削先端部位側のベルトコンベア吊り下げ部材を掘削進行方向に牽引して複数のベルトコンベア吊り下げ部材で吊り下げられたベルトコンベア装置を掘削進行方向側に移動させることを特徴とする。
また、トンネル施工において掘削した土砂を坑口側に移送するために掘削先端部位側から坑口方向に延長するように設けられる土砂移送長が所定長さのベルトコンベア装置を掘削進行方向側に移動させる方法であって、複数の単位レール材をトンネル孔内に吊り下げてこれら単位レール材を連結することにより掘削先端部位側から坑口側に延長する吊りレールを形成し、この吊りレールを介して移動可能な移動体を上部に備える複数のベルトコンベア吊り下げ部材でベルトコンベア装置を吊り下げるようにするとともに、この各ベルトコンベア吊り下げ部材の上部側を牽引用連結部材で連結するようにし、掘削先端部位側の掘削が進行した後に坑口側の単位レールを任意の数だけ取外して吊りレールの掘削先端部位側に継ぎ足すように連結して移動作業用吊りレールを形成し、牽引手段で掘削先端部位側のベルトコンベア吊り下げ部材を掘削進行方向に牽引してこのベルトコンベア吊り下げ部材及び後続のベルトコンベア吊り下げ部材の移動体を移動作業用吊りレールを介して掘削進行方向に移動させることで、複数のベルトコンベア吊り下げ部材で吊り下げられたベルトコンベア装置を掘削進行方向側に移動させることを特徴とする。
また、上記移動方法に使用する本発明の掘削土砂移送装置は、土砂を坑口側に移送するために掘削先端部位側から坑口方向に延長するように設けられる土砂移送長が所定長さのベルトコンベア装置と、掘削先端部位側から坑口側に延長するように複数の単位レール材が連結されてトンネル孔内に吊り下げられて成る吊りレールと、この吊りレールを介して移動可能な移動体を上部に備えるとともにこの吊りレールにベルトコンベア装置を吊り下げるための複数のベルトコンベア吊り下げ部材と、この複数のベルトコンベア吊り下げ部材の上部側を連結する牽引用連結部材と、掘削先端部位側の掘削が進行した後に坑口側より取外した任意の数の単位レールを吊りレールの掘削先端部位側に継ぎ足すように連結して成る移動作業用吊りレールと、掘削先端部位側のベルトコンベア吊り下げ部材を掘削進行方向に牽引することにより、このベルトコンベア吊り下げ部材及び後続のベルトコンベア吊り下げ部材の移動体を移動作業用吊りレールを介して掘削進行方向に移動させ、かつ複数のベルトコンベア吊り下げ部材で吊り下げられたベルトコンベア装置を掘削進行方向側に移動させる牽引手段とを備えた。
【０００５】
【発明の実施の形態】
図１は本発明の実施の形態による掘削土砂移送装置を用いて施工作業を行なっている施工トンネル内の様子を示す図である。
トンネル掘削施工において、崩れやすい地盤の場合には掘削先端部位Ｘにおける切羽Ｙを自立させるために、トンネル掘削作業を数段階に分けて行なっていく方法（「上半工法」という）がある。図１ではこの上半工法による施工を示している。即ち、切羽Ｙの面積を大きくとると切羽Ｙが崩れやすいため切羽Ｙの面積を小さくして掘削する。例えば、まず、切羽Ｙの面積を上半円面積に保って掘削機等で掘削していき（即ち、Ａ−Ａ断面は図２（ａ）に示すように上半円の孔である）、その後、断面上半円に掘削された孔の下側を油圧ショベルＳ等で掘削し（即ち、Ｂ−Ｂ断面は図２（ｂ）に示すように上半円に加えて下半円の一部が加えられた孔である）、さらに、孔の下側を掘削してコンクリートＣを打設する（即ち、Ｃ−Ｃ断面は図２（ｃ）に示すように下側にコンクリートが打設された孔となる）。尚、図１において掘削先端部位Ｘ側が示されている上図の右側は坑口Ｚ側が示されている下図の左側と繋がる。
【０００６】
図１において、１はベルトコンベア装置であり、これは、掘削先端部位Ｘ側から坑口Ｚ方向に延長するように設置されるもので、土砂移送長さが例えば２００ｍに設定され、掘削先端部位Ｘ側に設置される土砂積み込み機Ａ及び掘削中間部位ＸＡに設置される土砂積み込み機Ｂに積み込まれる土砂を坑口Ｚ側のダンプトラックＤの位置まで搬送するものである。
【０００７】
ベルトコンベア装置１は、支持手段２で吊り下げられた状態に支持される。
上記支持手段２は、図１，３に示すように、複数の単位レール材３０と、この単位レール材３０をトンネル孔内上面１００より吊り下げた状態に支持する複数のレール吊り下げ部材４と、複数の単位レール材３０が連結されて複数のレール吊り下げ部材４で吊り下げられて成る吊りレール３と、上部に移動体としての車輪５０を有し、この車輪５０を介してベルトコンベア装置１を移動可能なように吊りレール３より吊り下げた状態に支持する複数のベルトコンベア吊り下げ部材５とで構成される。
【０００８】
例えば、単位レール材３０の長さａは２ｍ、これに合せてレール吊り下げ部材４の取付ピッチ間隔もほぼ２ｍピッチ間隔とし、また、ベルトコンベア吊り下げ部材５の取付ピッチ間隔ｂは５ｍとする。
また、上記吊りレール３は、ベルトコンベア装置１の土砂移送長さに対応した長さに設定される。
また、各ベルトコンベア吊り下げ部材５の上部側はそれぞれ牽引用連結部材６０を介して連結される。
【０００９】
図４は図３におけるレール吊り下げ部材４、単位レール材３０、ベルトコンベア吊り下げ部材５の拡大図、図５は図３のＤ−Ｄ断面を拡大した図である。
図４，５に示すように、単位レール材３０は、垂直板３０ａとこの垂直板３０ａの上下に設けられた上下水平板３０ｂ，３０ｃとを備えて成る断面Ｉ字状の長尺部材が用いられる。
【００１０】
レール吊り下げ部材４は、トンネル孔内上面１００に施工された支保工４００に設けられたブラケット４０１に取付けられる鎖４１と下部側には設けられる鎖４２とが長さ調整手段としてのターンバックル４３を介して接続されていて、鎖４２の下端側には単位レール材３０の上水平板３０ｂの下面３０ｄに係止する把持係止部材４４を有する。尚、把持係止部材４４における爪部４５の上側には、単位レール材３０を幅広に受けることができるように幅広受け部４６が設けられ、これにより単位レール材３０を安定に受けて吊り下げることができるようになっている。
また、各単位レール材３０は各レール吊り下げ部材４によりトンネル孔内上面１００に吊り下げられ、各単位レール材３０の吊り下げ高さがターンバックル４３で調整されて連結ブラケット４７を介してボルト４８，ナット等で連結され、これにより、掘削先端部位Ｘ側から坑口Ｚ方向に水平に延長する吊りレール３が形成される。つまり、ターンバックル４３により吊りレール３を水平に調整する作業が容易になる。
【００１１】
ベルトコンベア吊り下げ部材５は、上部側に、単位レール材３０の垂直板３０ａを挟むように配置されて下水平板３０ｃの上面３０ｅを移動可能でかつベルトコンベア装置１の重量を下水平板３０ｃの上面３０ｅで受けさせる係止部材として機能する移動体としての回転可能な車輪５０を有するとともに、下部側に、ベルトコンベア装置１を吊るための鎖５１を２本有するものである。尚、車輪５０は、垂直板３０ａを挟んで両側に２個ずつ設けられる。上記各鎖５１の上端５１ｔ，５１ｔは、牽引用連結部材６０が連結される連結プレート５２の両側に設けられたブラケット５３，５３に取付けらている。車輪５０は車輪保持プレート７０により回転可能なように取付けられている。この車輪保持プレート７０は、一側にボルト７１を有し、他側に車輪軸（図示せず）が設けられたものであり、車輪連結プレート８０にボルト７１がナット７２で固定され、車輪軸を車輪５０の軸孔（図示せず）に遊嵌させることにより、車輪５０が回転可能なように取付けられている。上記垂直板３０ａを挟むように車輪５０が取付けられて対向する車輪連結プレート８０，８０の間隔は、間隔保持パッキン材８１，８１で決められており、これにより、車輪連結プレート８０，８０が平行に対向するよう固定され、車輪５０が下水平板３０ｃの上面３０ｅに正確に載置されるように構成されている。即ち、間隔保持パッキン材８１，８１及び連結プレート５２を貫通して車輪連結プレート８０の外側に突出するボルト材８２の両側をナット８３，８３を用いて車輪連結プレート８０，８０に固定することで、車輪連結プレート８０，８０は平行に対向する状態で連結プレート５２に連結されている。このベルトコンベア吊り下げ部材５は、上述したように吊りレール３に対して例えば５ｍ間隔で取付けられ、各ベルトコンベア吊り下げ部材５の連結プレート５２は牽引用連結部材６０により連結される。
【００１２】
ベルトコンベア装置１は、上送りローラ部１１と、下送りローラ部１２とを備える。上送りローラ部１１は、ベルト１０の断面が凹状態になるように３本のローラ１１ａ，１１ｂ，１１ｃが配置されて成る。下送りローラ部１２は１本のローラ１２ａが水平に配置されて成る。
下送りローラ部１２のローラ１２ａの取付土台１２Ａは、ベルトコンベア装置１の土砂移送方向に対して所定の間隔で配置されるが、各取付土台１２Ａの側部が側部連結板１３，１３で連結されて各取付土台１２Ａの配置間隔が所定の間隔に維持されている。この取付土台１２Ａの位置における側部連結板１３，１３から下方に支持部材１４，１４を延長させ、これら支持部材１４，１４によりローラ１２ａが回転自在に支持されている。上記側部連結板１３，１３の上部側には、各取付土台１２Ａの配置間隔より狭い配置間隔で上送りローラ支持土台１１Ａが取付けられる。これら各ローラ支持土台１１Ａより設けられる支持部材１１Ｂにより各ローラ１１ａ，１１ｂ，１１ｃが回転可能に支持されている。尚、上送りローラ部１１により送られるベルト１０には土砂重量が加わるので上送りローラ支持土台１１Ａの配置間隔を狭くして土砂重量を支えるようにしている。また、ベルトコンベア吊り下げ部材５の鎖５１，５１の下端５１ｅ，５１ｅは、側部連結板１３，１３に設けられたブラケット１５，１５に取付けられている。
【００１３】
次に、ベルトコンベア装置１の移動方法を説明する。掘削先端部位Ｘ側の掘削が進行したら、ベルトコンベア装置１の末端１Ｂ側から単位レール材３０、レール吊り下げ部材４を任意の数だけ取外して、ベルトコンベア装置１の先端側に運ぶ（例えば、図１に示す様に、３つの単位レール材３０及びレール吊り下げ部材４を取外して運ぶ、また、これらに関連していたベルトコンベア吊り下げ部材５も取外す）。そして、運んできたレール吊り下げ部材４を図６に示すようにベルトコンベア装置１の先端１Ａ側のトンネル孔内上面１００に吊り下げて単位レール材３０を取付け、単位レール材３０同士を連結ブラケット４７を介して連結することにより、移動作業用吊りレール３Ａを形成する。即ち、吊りレール３の先端側３ｔに任意の数の単位レール材３０を継ぎ足していって移動作業用吊りレール３Ａを形成する。
そして、この移動作業用吊りレール３Ａの先端３Ａｔ側に固定具９０を介して固定側シーブブロック９１を取付け、ベルトコンベア吊り下げ部材５の近くにウインチ装置９３を内蔵した移動側シーブブロック９２を取付ける。この移動側シーブブロック９２は、上部の可動部９４に、コンベア吊り下げ部材５と同様な車輪９５を有し、この車輪９５を移動作業用吊りレール３Ａの下水平板３０ｃの上面３０ｅに載せて、可動部９４とベルトコンベア吊り下げ部材５の連結プレート５２とを牽引用連結部材６１で連結することにより取付けられる。そして、ワイヤーロープ９６の一端９６ａを固定側シーブブロック９１の巻枠の中心軸に固定してワイヤーロープ９６を各シーブブロック９１，９２間に複数回巻き渡して他端９６ｂをウインチ装置９３に固定する。この状態で、ウインチ装置９３を駆動させることで、移動側シーブブロック９２の可動部９４の車輪９５が移動作業用吊りレール３Ａを介して掘削進行方向に移動し、牽引用連結部材６１で連結されたベルトコンベア吊り下げ部材５及び牽引用連結部材６０で連結された後続のベルトコンベア吊り下げ部材５の車輪５０が移動作業用吊りレール３Ａを介して掘削進行方向に移動するので、これらベルトコンベア吊り下げ部材５で吊り下げられているベルトコンベア装置１も掘削進行方向に移動する。即ち、移動作業用吊りレール３Ａを反力受けとして利用する各シーブブロック９１，９２及びウインチ装置９３から成る牽引装置を用いることでベルトコンベア装置１を掘削進行方向に移動させる。
以後、掘削が進行するたびに、上記と同様に、ベルトコンベア装置１の末端側の単位レール材３０を取外して、吊りレール３の先端３ｔ側に継ぎ足していって移動作業用吊りレール３Ａを形成し、牽引装置でベルトコンベア吊り下げ部材５を牽引してベルトコンベア装置１を掘削進行方向に移動させる。
【００１４】
以上により、土砂移送長さを変更しない安価なベルトコンベア装置１を用いることができ、この安価なベルトコンベア装置１を掘削進行方向側に簡単に移動できる。また、移動作業用吊りレール３Ａを簡単に形成できるので、移動作業時の設定作業も容易に行なえる。
尚、図６において、９９はベルトコンベア装置１のベルト１０上に土砂を投入するための投入ホッパである。
【００１５】
尚、単位レール材３０、レール吊り下げ部材４は数個余分に用意しておいて、最初だけはこの余分に用意しておいた単位レール材３０、レール吊り下げ部材４を用いて移動作業用吊りレール３Ａを形成するようにしてベルトコンベア装置１を移動し、移動後は、移動後のベルトコンベア装置１の末端側において不要となった単位レール材３０、レール吊り下げ部材４を取外して、次の移動作業に用いるようにしてもよい。この場合、移動後のベルトコンベア装置１の末端側にベルトコンベア吊り下げ部材５を取付けて移動後のベルトコンベア装置１の末端側を吊りレール３に吊り下げる作業を不要とできる。
【００１６】
また、ベルトコンベア装置１の末端１Ｂ側には、ベルトコンベア駆動制御装置１１０が設けられている。このベルトコンベア駆動制御装置１１０は、土砂積み込み機Ａの制御装置及び土砂積み込み機Ｂの制御装置と通信線又は無線により接続されており、ダンプトラックＤの運転手がベルトコンベア駆動制御装置１１０を介してコンベア停止を指示したときに、ベルトコンベア駆動制御装置１１０は、土砂積み込み機Ａ及び土砂積み込み機Ｂの制御装置に停止信号を送ってこれらを停止させ、また、土砂積み込み機Ａ及び土砂積み込み機Ｂの制御装置に表示制御信号を送って、土砂積み込み機Ａ及び土砂積み込み機Ｂに設けられたランプ等の表示手段に積み込み中止を示す表示を行なわせる。また、ダンプトラックＤの運転手がベルトコンベア駆動制御装置１１０を介してコンベア起動を指示したときに、ベルトコンベア駆動制御装置１１０は、土砂積み込み機Ａ及び土砂積み込み機Ｂの制御装置に起動信号を送ってこれらを起動させ、また、土砂積み込み機Ａ及び土砂積み込み機Ｂの制御装置に表示制御信号を送って、土砂積み込み機Ａ及び土砂積み込み機Ｂに設けられたランプ等の表示手段に積み込み許可を示す表示を行なわせる。以上により、ダンプトラックＤの積み込み量が規定量となった時にベルトコンベア装置１，土砂積み込み機Ａ，土砂積み込み機Ｂを連動して停止させることができるとともに、積み込み作業者（油圧ショベルＳの運転手や、土砂積み込み機Ａの近辺で作業する図示しないブルドーザの運転手等）に積み込み作業の中止を促すことができ、また、空のダンプトラックＤを設置したときに、ベルトコンベア装置１，土砂積み込み機Ａ，土砂積み込み機Ｂを連動して起動させることができるとともに、積み込み作業者に積み込み作業の開始を促すことができる。
【００１７】
尚、本発明は、上半円工法以外のトンネル掘削施工作業にも適用できる。また、車輪以外の移動体を用いてもよく、ウインチ等以外の牽引手段を用いてもよい。また、レール吊り下げ部材４、単位レール材３０、ベルトコンベア吊り下げ部材５の形態は上述した形態以外のものを用いてもよい。
【００１８】
【発明の効果】
請求項１，２によれば、ベルトコンベアの土砂移送長さを伸ばすことができる特殊な構造で高価な従来のベルトコンベア装置に比べて、土砂移送長さを変更しない安価なベルトコンベア装置を用いて、ベルトコンベア装置を掘削進行方向側に簡単に移動できるようになる。また、移動作業用吊りレールを簡単に形成できるので、従来に比べて移動作業時の設定作業が容易になる。
請求項３によれば、上記効果を実現できる掘削土砂移送装置が得られる。
請求項４によれば、長さ調整手段を有するレール吊り下げ部材を備えたので、吊りレールを水平に設定するための調整作業を容易に行なえる。
請求項５によれば、単位レール材として、垂直板とこの垂直板の上下に設けられた上下水平板とを備えた断面Ｉ字状の長尺棒材を用い、レール吊り下げ部材で上水平板の下面を係止して単位レール材を吊り下げ、上部に、垂直板を挟むように配置されて下水平板の上面を移動可能で、かつ、ベルトコンベア装置の重量を下水平板の上面で受けさせる係止部材として機能する移動体としての回転可能な車輪を備えたベルトコンベア吊り下げ部材を用いたので、吊り作業を容易に行なえ、また、移動作業用吊りレールの形成作業も容易に行なえるようになる。
請求項６によれば、移動作業用吊りレールを反力受けとして利用する牽引装置を用いたので、牽引装置を小型化でき、かつ、容易に牽引できる。
請求項７によれば、ベルトコンベア装置と土砂積み込み機を連動して起動・停止させることができるとともに、積み込み作業者に積み込み作業の中止・開始を促すことができる。
【図面の簡単な説明】
【図１】本発明の実施の形態による掘削土砂移送装置を用いて施工作業を行なっている施工トンネル内の様子を示す図。
【図２】（ａ）は図１のＡ−Ａ断面図、（ｂ）は図１のＢ−Ｂ断面図、（ｃ）は図１のＣ−Ｃ断面図。
【図３】図１の一部拡大図。
【図４】図３におけるレール吊り下げ部材、単位レール材、ベルトコンベア吊り下げ部材の拡大図。
【図５】図３のＤ−Ｄ断面を拡大した図。
【図６】移動作業時の設定を説明するための図。
【符号の説明】
１  ベルトコンベア装置、２  支持手段、３  吊りレール、３Ａ  移動作業用吊りレール、４  レール吊り下げ部材、５  ベルトコンベア吊り下げ部材、
３０  単位レール材、３０ａ  垂直板、３０ｂ  上水平板、３０ｃ  下水平板、３０ｄ  上水平板の下面、３０ｅ  下水平板の上面、４４  把持係止部材、
４３  ターンバックル（長さ調整手段）、５０  車輪（移動体）、
６０，６１  牽引用連結部材、９１  固定側シーブブロック、９２  移動側シーブブロック、９３  ウインチ装置、１１０  ベルトコンベア駆動制御装置、
Ｘ  掘削先端部位、Ｚ  坑口。
【図１】
2004176269.tif 000003
【図２】
2004176269.tif 000004
【図３】
2004176269.tif 000005
【図４】
2004176269.tif 000006
【図５】
2004176269.tif 000007
【図６】
2004176269.tif 000008